(57)【要約】      （修正有）【課題】支柱を収縮不能にロックでき、かつ簡便な操作でそのロックを解除でき、支柱の伸縮を通じてモニタの高さ位置を調整可能な利便性の高いモニタアームを提供する。【解決手段】内パイプ３１及び外パイプ３２を要素とし、上下方向に伸長しており、そのうちの一方である下部要素に対して他方である上部要素が昇降することでその長さを拡縮させる支柱３と、支柱の上部要素に取り付けられモニタＭを支えることのできるブラケット４と、支柱の上部要素の上端部に露出しユーザによる操作を受けて支柱に対して上下動するスイッチ３３１と、支柱内に配されスイッチの上下動に伴い支柱に対して上下動するアンロックパイプと、支柱が収縮しないよう下部要素に対して上部要素をロックするとともに、アンロックパイプが支柱に対して下降したときにそのロックを解除するロック機構とを具備するモニタアーム１を構成した。【選択図】図１
0003233085.tif 000002
【実用新案登録請求の範囲】
【請求項１】
内パイプ及び内パイプが挿入される外パイプを要素とし、上下方向に伸長しており、内パイプと外パイプとのうちの一方である下部要素に対して他方である上部要素が昇降することでその長さを拡縮させる支柱と、
前記支柱の上部要素に取り付けられ、モニタを支えることのできるブラケットと、
前記支柱の上部要素の上端部に露出し、ユーザによる操作を受けて支柱に対して上下動するスイッチと、
前記支柱内に配され、前記スイッチの上下動に伴い支柱に対して上下動するアンロックパイプと、
前記支柱が収縮しないよう下部要素に対して上部要素をロックするとともに、前記アンロックパイプが支柱に対して下降したときにそのロックを解除するロック機構と
を具備するモニタアーム。
【請求項２】
前記ロック機構は、
前記支柱内に配され、支柱の下部要素に支持され上部要素に向かって伸びるセンタシャフトと、
前記支柱内に配され、その下端部が上部要素に対して固定され、その上端部が前記アンロックパイプとともに支柱に対して上下動し、前記センタシャフトが挿通されるクランプチェーンと
を有しており、
前記クランプチェーンが前記センタシャフトの外周面に密接することにより前記支柱が収縮しないようロックするとともに、ユーザによる操作を受けて前記スイッチ及び前記アンロックパイプが前記支柱に対して下降したときにクランプチェーンの上下幅が縮小しながらクランプチェーンとセンタシャフトの外周面との間隙が拡大してロックを解除する請求項１記載のモニタアーム。
【請求項３】
前記ブラケットは、
前記支柱の上部要素との間にスペーサを介在させて支柱に取り付けられる基部と、
モニタが固定されてこれを支える取着部と
を備え、
その基部にスペーサよりも外側方に突出する凸部が挿入される長孔が形成され、支柱の軸心と交差する軸回りに回動可能である請求項１または２記載のモニタアーム。
【請求項４】
前記支柱の上部要素に螺合するねじが形成された制動用のつまみを具備し、
前記つまみと前記スペーサとの間で前記ブラケットの基部を挟圧することでブラケットの姿勢を保定する請求項３記載のモニタアーム。
【請求項５】
前記支柱の下部要素の下端部に設けられた回転軸が、支柱を支持する支持体に設けられた軸受に挿入されており、支柱がその軸心回りに回動可能である請求項１、２、３または４記載のモニタアーム。
【請求項６】
前記軸受にブッシュが圧入されている一方、前記回転軸の外周にリングが嵌め付けられており、軸受に挿入した回転軸を軸受から引き抜こうとする際にリングがブッシュに引っ掛かり抜け止めとなる請求項５記載のモニタアーム。
【考案の詳細な説明】
【技術分野】
【０００１】
本考案は、モニタ（または、ディスプレイ、表示装置。モニタと一体化した外形をなすタブレット型コンピュータやスマートフォン等を含む）を支えるために使用されるモニタアームに関する。
【背景技術】
【０００２】
デスクの天板等に固定される支持体から伸出する支柱にブラケットを設け、そのブラケットにモニタを固定し、モニタを浮いた位置に支えて保持するモニタアームが公知である（例えば、下記非特許文献１を参照）。この種のモニタアームを使用することで、モニタをデスクの天板上に載置する場合と比較して、天板上の空間がより広くなる利点がある。
【先行技術文献】
【非特許文献】
【０００３】
【非特許文献１】“モニタアーム”，コクヨ総合カタログ２０２０年版ファニチャー編，コクヨ株式会社，令和１年１２月，ｐ．１７７
【考案の概要】
【考案が解決しようとする課題】
【０００４】
本考案は、支柱を収縮不能にロックでき、かつ簡便な操作でそのロックを解除でき、支柱の伸縮を通じてモニタの高さ位置を調整可能な利便性の高いモニタアームを提供しようとするものである。
【課題を解決するための手段】
【０００５】
本考案では、内パイプ及び内パイプが挿入される外パイプを要素とし、上下方向に伸長しており、内パイプと外パイプとのうちの一方である下部要素に対して他方である上部要素が昇降することでその長さを拡縮させる支柱と、前記支柱の上部要素に取り付けられ、モニタを支えることのできるブラケットと、前記支柱の上部要素の上端部に露出し、ユーザによる操作を受けて支柱に対して上下動するスイッチと、前記支柱内に配され、前記スイッチの上下動に伴い支柱に対して上下動するアンロックパイプと、前記支柱が収縮しないよう下部要素に対して上部要素をロックするとともに、前記アンロックパイプが支柱に対して下降したときにそのロックを解除するロック機構とを具備するモニタアームを構成した。
【０００６】
前記ロック機構は、例えば、前記支柱内に配され、支柱の下部要素に支持され上部要素に向かって伸びるセンタシャフトと、前記支柱内に配され、その下端部が上部要素に対して固定され、その上端部が前記アンロックパイプとともに支柱に対して上下動し、前記センタシャフトが挿通されるクランプチェーンとを有してなるもので、前記クランプチェーンが前記センタシャフトの外周面に密接することにより前記支柱が収縮しないようロックするとともに、ユーザによる操作を受けて前記スイッチ及び前記アンロックパイプが前記支柱に対して下降したときにクランプチェーンの上下幅が縮小しながらクランプチェーンとセンタシャフトの外周面との間隙が拡大してロックを解除する。
【０００７】
前記ブラケットは、支柱の軸心と交差する軸回りに回動可能であることが好ましい。さすれば、ユーザの任意に応じて、モニタの向く方向、即ちモニタの姿勢を上下に傾動させ得るようになる。そのための構造の具体例として、ブラケットが、前記支柱の上部要素との間にスペーサを介在させて支柱に取り付けられる基部と、モニタが固定されてこれを支える取着部とを備え、その基部にスペーサよりも外側方に突出する凸部が挿入される長孔が形成されているものが挙げられる。
【０００８】
加えて、前記支柱の上部要素に螺合するねじが形成された制動用のつまみを具備し、前記つまみと前記スペーサとの間で前記ブラケットの基部を挟圧することでブラケットの姿勢を保定できるようにすればさらに好ましい。
【０００９】
前記支柱の下部要素の下端部に設けられた回転軸が、支柱を支持する支持体に設けられた軸受に挿入されており、支柱がその軸心回りに回動可能であれば、モニタを水平旋回させてその向きを任意に変更することができる。
【００１０】
前記軸受にブッシュが圧入されている一方、前記回転軸の外周にリングが嵌め付けられており、軸受に挿入した回転軸を軸受から引き抜こうとする際にリングがブッシュに引っ掛かり抜け止めとなる構造を採用すれば、部品点数が徒に増加しない。
【考案の効果】
【００１１】
本考案によれば、支柱を収縮不能にロックでき、かつ簡便な操作でそのロックを解除でき、支柱の伸縮を通じてモニタの高さ位置を調整可能な利便性の高いモニタアームを具現できる。
【図面の簡単な説明】
【００１２】
【図１】本考案の一実施形態のモニタアームの斜視図。
【図２】同実施形態のモニタアームの支柱及びブラケットを背面側から見た斜視図。
【図３】同実施形態のモニタアームの側面図。
【図４】同実施形態のモニタアームの側面図。
【図５】同実施形態のモニタアームの支柱及びブラケットの側面図。
【図６】同実施形態のモニタアームの支柱及びブラケットの側面図。
【図７】同実施形態のモニタアームの側面図。
【図８】同実施形態のモニタアームのＡ−Ａ線縦断面図。
【図９】同実施形態のモニタアームのＡ−Ａ線縦断面図。
【図１０】同実施形態のモニタアームのロック機構を拡大して示すＡ−Ａ線縦断面図。
【図１１】同実施形態のモニタアームの回転軸及び軸受を拡大して示すＡ−Ａ線縦断面図。
【図１２】同実施形態のモニタアームのＡ’−Ａ’線縦断面図。
【図１３】同実施形態のモニタアームのＢ−Ｂ線横断面図。
【考案を実施するための形態】
【００１３】
本考案の一実施形態を、図面を参照して説明する。図１ないし図１３に示す本実施形態のモニタアーム１は、支持体２から上下方向に伸長している伸縮可能な支柱３に、モニタＭを支持するためのブラケット４が設けられているものである。
【００１４】
支持体２は、デスクの天板Ｔや棚板等を挟持することで当該天板Ｔ等に対して固定される、いわば土台となるクランプ２１と、このクランプ２１に連結される脚２２とを備えている。脚２２は、クランプ２１から直立した後屈曲して前後方向に延伸し、さらにそこから再び屈曲して上方に延伸する、側面視クランク形状のパイプ材からなる。そして、その上端部に、支柱３の下端部が連結される。
【００１５】
支柱３は、下部要素である内パイプ３１が上部要素である外パイプ３２の内に下方から挿入されるテレスコピック構造をなし、上下方向に伸長し、外パイプ３２が内パイプ３１に対して昇降することでその長さを伸縮させる。モニタＭを支えるブラケット４は、その外パイプ３２に取り付けられている。
【００１６】
図１１に示すように、支柱３の内パイプ３１の下端部には、回転軸３１１が設けられている。この回転軸３１１は、支持体２の脚２２の上端部に設けられた軸受２３の内に上方から挿入される。軸受２３には、円筒状のブッシュ２３１が圧入されている。ブッシュ２３１は、上下に分割して複数個存在する。他方、回転軸３１１の上下方向の中間部位には、その外周面よりも若干外側方に張り出すリング３１２が嵌め付けられている。支柱３を脚２２に連結するべく、回転軸３１１を軸受２３に嵌入すると、回転軸３１１におけるリング３１２を外嵌していない上下の部位の外周が上下のブッシュ２３１の内周にそれぞれ密接し、同時にリング３１２が上下のブッシュ２３１の中間の高さ、より具体的には上方のブッシュ２３１の直下に配置される。支柱３を脚２２から上方に引き抜こうとするとき、そのリング３１２が上方のブッシュ２３１に引っ掛かって抜け止めとなる。
【００１７】
支柱３の回転軸３１１は、脚２２の軸受２３（のブッシュ２３１）に対して摺動できる。つまり、支柱３は、脚２２に対してその軸心回りに、即ち鉛直軸回りに回動することが可能である。支柱３を回転させれば、ブラケット４に支持させているモニタＭを旋回させてその向きを左右に変更することができる。
【００１８】
さらには、脚２２もまた、クランプ２１に対して、当該クランプ２１に連結している下端部の軸心回りに、即ち鉛直軸回りに回動することが可能である。これを利用して、図３に示すように、ユーザから見てより奥方（図中右方）に支柱３及びモニタＭを位置付けながらユーザ（図中左方）に向かってモニタＭが面する態様と、図７に示すように、ユーザから見てより手前方（図中左方）に支柱３及びモニタＭを位置付けながらユーザに向かってモニタＭが面する態様とを、選択的にとり得る。
【００１９】
ブラケット４は、モニタＭが向く正面方向を向きモニタＭの背面と接合する取着部４１と、取着部４１に対し交差（特に、直交）する前後方向に延出しており支柱３の外パイプ３２に取り付けられる基部４２とを備える。図１、図２及び図１３に示すように、ブラケット４は、正面視略方形状の板金材を折曲加工して、左右両側における上下の中間の部分を後方に屈折させた形状をなす。その屈折させた部分が左右に対をなす基部４２となり、残余の部分が上下に対をなし基部４２よりも外側方に腕を伸ばした取着部４１となる。
【００２０】
取着部４１の左右両側部には、これを貫通する挿通孔４１１が穿たれている。ブラケット４をモニタＭに固着するにあたっては、図２ないし図７に示すように、ビス４３の雄ねじが切られている軸部を取着部４１の後方から前方に向けて挿通孔４１１に挿通し、そのビス４３の軸部をモニタＭの背面に設けられているナット穴（図示せず）に螺合して緊締する。
【００２１】
ブラケット４には、取着部４１及びビス４３を隠蔽する化粧カバー４４を追加的に装着することができる。図１、図２、図８、図９、図１２及び図１３に示すように、化粧カバー４４は、背面視において取着部４１の全域を被覆できる程度の寸法を有する。化粧カバー４４には、その下縁から上方に向かって切り欠くように伸びる互いに平行な二本の溝４４１が形成されている。溝４４１は、ブラケット４の基部４２を通過させるために存在し、左右に対をなす溝４４１の離間距離は、左右に対をなす基部４２の離間距離に相当する。取着部４１をモニタＭの背面に固定後、溝４４１に基部４２を差し入れるようにして化粧カバー４４を上方から差し込み、取着部４１の背面に当接または近接させれば、ブラケット４に化粧カバー４４が装着され、これにより基部４２及びビス４３が隠蔽される。
【００２２】
なお、取着部４１に他の部材（図示せず）を固定し、その部材にモニタＭを支持させるようにしても構わない。例えば、タブレット型コンピュータ等（図示せず。これもまたモニタの一種である）を保持可能なホルダ（図示せず）を取着部４１に固定し、そのホルダにタブレット型コンピュータ等を保持させることで、間接的にタブレット型コンピュータ等を支える態様をとることが考えられる。
【００２３】
図１、図２、図８、図９、図１２及び図１３に示すように、左右一対の基部４２は、それぞれが上下方向に拡張し、それら両者の間に支柱３の外パイプ３２が入り込む。そして、当該外パイプ３２に基部４２が取り付けられる。尤も、基部４２は起立した平板状であるが、外パイプ３２は円筒状である。
【００２４】
そこで、基部４２の内側面と外パイプ３２の外周面との間に、スペーサ５を介在させる。スペーサ５は、基部４２とともに左右に一対存在しており、基部４２の内側面に接する外向面が（後述するボス５１を除き）平面状をなし、外パイプ３２の外周面に接する内向面がそれに合わせた部分円筒状をなしている。
【００２５】
図１ないし図９及び図１２に示すように、ブラケット４の取着部４１には、これを貫通する長孔４２１、４２２が三つ形成されている。各長孔４２１、４２２はそれぞれ、側面視上下方向に拡張した部分円弧状をなしており、それらの円弧の中心は互いに略一致している。
【００２６】
スペーサ５における、側面視取着部４１の三つの長孔４２１、４２２のうちの上下の二つ４２１に対応する箇所には、スペーサ５の外向面よりも外側方に突出する凸部であるボス５１が一体に成形されている。ボス５１内には、当該ボス５１及びスペーサ５を貫通する孔が穿たれている。また、スペーサ５における、側面視取着部４１の中間の長孔４２２に対応する箇所に、スペーサ５を貫通する貫通孔５２が穿たれている。
【００２７】
並びに、外パイプ３２における、側面視スペーサ５のボス５１内の孔及び貫通孔５２と重なり合う箇所に、ナット孔３２１１、３２１２が形成されている。
【００２８】
ブラケット４を支柱３の外パイプ３２に取り付けるにあたっては、図８、図９及び図１２に示すように、ブラケット４の基部４２の上下の長孔４２１内にスペーサ５から突出するボス５１を内側方から挿入し、かつ基部４２の中間の長孔４２２とスペーサ５の中間の貫通孔５２とを側面視重ね合わせるようにして、スペーサ５の外向面にブラケット４の基部４２を添接させる。次いで、外パイプ３２のナット孔３２１１、３２１２と、スペーサ５のボス５１内の孔及び貫通孔５２とを側面視重ね合わせるようにして、外パイプ３２の外周にスペーサ５を添接させる。
【００２９】
その上で、ワッシャ付きボルト６の雄ねじが切られている軸部を、外側方よりブラケット４の長孔４２１及びスペーサ５のボス５１内の孔に挿通し、外パイプ３２のナット孔３２１１に螺合して緊締する。このボルト６の頭部またはワッシャにより、ブラケット４の基部４２の長孔４２１からスペーサ５のボス５１が抜け出ることが抑制される。
【００３０】
さらに、つまみ７の雄ねじが切られている軸部を、外側方よりブラケット４の長孔４２２及びスペーサ５の貫通孔５２に挿通し、外パイプ３２のナット孔３２１２に螺合して緊締する。つまみ７の頭部は、スペーサ５（ひいては、外パイプ３２）との間でブラケット４の基部４２を挟圧し、以てブラケット４を支柱３の外パイプ３２に対して保定する。
【００３１】
モニタＭを支えるブラケット４は、支柱３の軸心である垂直軸と交差（特に、直交）する水平軸回りに回動し得る。ブラケット４の回動の中心軸は、取着部４１に形成された側面視部分円弧状をなす長孔４２１、４２２の円弧の中心に合致する。これを利用して、図５に示すようにモニタＭが水平よりも上方を向くように後傾させたり、図６に示すようにモニタＭが水平よりも下方を向くように前傾させたりする、首振り動作が可能となっている。
【００３２】
ブラケット４の姿勢、換言すればモニタＭの向きを上下に変更したいときには、一旦つまみ７を逆方向に回転操作し、その頭部がブラケット４の基部４２及び支柱３の外パイプ３２から離反するように変位させる。つまりは、つまみ７による締め付けを緩める。さすれば、ブラケット４の支柱３に対する保定が解除され、ブラケット４及びモニタＭを水平軸回りに回動させることが許容される。しかして、ブラケット４及びモニタＭを所望の姿勢とした後、再度つまみ７を正方向に回転操作して、その頭部がブラケット４の基部４２及び支柱３の外パイプ３２に接近するように変位させる。結果、つまみ７の頭部とスペーサ５との間でブラケット４の基部４２が挟圧され、要するにつまみ７による締め付けがなされ、ブラケット４及びモニタＭが支柱３に対して不動に保定される。
【００３３】
本実施形態のモニタアーム１の支柱３は、その軸心である垂直軸に沿って上下方向の寸法を伸縮させ得る。支柱３を伸縮させることで、ブラケット４が支えるモニタＭの高さ位置を柔軟に変更することが可能である。この支柱３には、これが収縮しないように内パイプ３１に対して外パイプ３２をロックできるロック機構が内蔵されている。以降、本モニタアーム１が具備するロック機構に関して詳記する。
【００３４】
図８ないし図１０、図１２及び図１３に示すように、支柱３の上部要素である外パイプ３２は、外郭パイプ体３２１と、その内にある昇降パイプ体３２２とによる二重構造を有している。外郭パイプ体３２１及び昇降パイプ体３２２は何れも、上下方向に伸長した円筒状のパイプ材からなる。昇降パイプ体３２２は、外郭パイプ体３２１と軸心を同一とするように配されている。これら外郭パイプ体３２１及び昇降パイプ体３２２は、その上端部において、両者に貫入する結合ピン３２３により結合され、互いに対して相対的に変位できないように一体化している。加えて、外郭パイプ体３２１及び昇降パイプ体３２２の上に、上方に開放した皿状の外形をなすリテーナ３２４が設けられる。リテーナ３２４は、外郭パイプ体３２１及び昇降パイプ体３２２とともに結合ピン３２３により結合され、外パイプ３２の一部としてこれらに一体化している。
【００３５】
支柱３の下部要素である内パイプ３１は、上下方向に伸長した円筒状のパイプ材からなる。内パイプ３１は、外パイプ３２を構築する外郭パイプ体３２１と昇降パイプ体３２２との間の空間に挿入される。内パイプ３１の上端部には、その外径が外郭パイプ体３２１の内径に略一致し、その内径が昇降パイプ体３２２の外径に略一致するガイドキャップ３１３が装着されている。支柱３を伸縮させるように外パイプ３２が内パイプ３１に対して昇降する際には、ガイドキャップ３１３の外周面が外郭パイプ体３２１の内周面と摺動し、及び／または、ガイドキャップ３１３の内周面が昇降パイプ体３２２の外周面と摺動して、外パイプ３２を案内する。
【００３６】
また、外郭パイプ体３２１の下端部にも、その内径が内パイプ３１の外径に略一致し、外郭パイプ体３２１と内パイプ３１との隙間を塞ぐようなガイドキャップ３２５が装着されている。支柱３を伸縮させるように外パイプ３２が内パイプ３１に対して昇降する際には、ガイドキャップ３２５の内周面が内パイプ３１の外周面と摺動して、外パイプ３２を案内する。
【００３７】
外パイプ３２における昇降パイプ体３２２の内部には、アンロックパイプ３３が、昇降パイプ体３２２と軸心を同一とするように配されている。アンロックパイプ３３もまた、上下方向に伸長した円筒状のパイプ材からなる。アンロックパイプ３３は、ロック機構によるロック／ロック解除を切り替えるために駆動される部材であり、外パイプ３２（の外郭パイプ体３２１及び昇降パイプ体３２２）に対して相対的に上下動する。そのために、アンロックパイプ３３の上端部の周壁には、結合ピン３２３との干渉を避けるように開通し上下方向に拡張したスロット３３３が穿たれている。結合ピン３２３は、このスロット３３３を介してアンロックパイプ３３の上端部を通過する。
【００３８】
アンロックパイプ３３の直上には、ユーザが押下操作できる押下ボタンであるスイッチ３３１が設けられている。スイッチ３３１は、アンロックパイプ３３の上端部に嵌入されてアンロックパイプ３３と一体化している。それとともに、リテーナ３２４内の空間を介して外パイプ３２の上端よりも上方に突出している。スイッチ３３１とリテーナ３２４との間には、当該スイッチ３３１及びアンロックパイプ３３を外パイプ３２に対して相対的に上方に弾性付勢するスプリング３４が介設される。
【００３９】
昇降パイプ体３２２の下端部には、当該昇降パイプ体３２２の下方の開口を閉塞するようなスライダ３２６が装着されている。また、アンロックパイプ３３の下端部にも、当該アンロックパイプ３３の下方の開口を閉塞するようなスライダ３３２が装着されている。アンロックパイプ３３側のスライダ３３２は、昇降パイプ体３２２の内にあって、昇降パイプ体３２２側のスライダ３２６の上方に位置している。
【００４０】
内パイプ３１の内部には、外パイプ３２に向かって上方に伸長する棒状のセンタシャフト３１４が設立されている。センタシャフト３１４は、その下端部が内パイプ３１の下端部に固定されて支持され、内パイプ３１に一体化している。このセンタシャフト３１４は、ガイドキャップ３２５、スライダ３２６及びスライダ３３２の各々の軸孔を貫いて、昇降パイプ体３２２及びアンロックパイプ３３の内に下方から侵入する。
【００４１】
センタシャフト３１４は、下記クランプチェーン８とともに、本実施形態のモニタアーム１の支柱３のロック機構を構成する。図１０に示すように、クランプチェーン８は、センタシャフト３１４が伸長する上下方向に対して交差する前後方向に伸び、かつ左右方向に沿って対立（並立）する複数本のリンクピン８１と、それらリンクピン８１同士を連結するリンクメンバ８２とを、上下に複数段連続させてなるものである。クランプチェーン８は、昇降パイプ体３２２の内、特に上下のスライダ３３２、３２６に挟まれた空間に所在している。クランプチェーン８の上端部は、アンロックパイプ３３側のスライダ３３２に係留されている。翻って、クランプチェーン８の下端部は、昇降パイプ体３２２側のスライダ３２６に係留されている。
【００４２】
センタシャフト３１４は、このクランプチェーン８の左右に対向するリンクピン８１の間に挿通される。センタシャフト３１４における、クランプチェーン８に臨む部位の外周は、角柱状となっている。
【００４３】
スイッチ３３１に操作力が加わっていないとき、スプリング３４がスイッチ３３１に対して加える上向きの弾性付勢力により、図８及び図１２に示すように、スイッチ３３１及びこれと一体となったアンロックパイプ３３が、支柱３の外パイプ３２に対して相対的に上動する。それに伴い、アンロックパイプ３３側のスライダ３３２と昇降パイプ体３２２側のスライダ３２６との上下方向に沿った離間距離が広がる。そして、両スライダ３３２、３２６に上下端部が係留されているクランプチェーン８が展開してその上下幅が拡大し、図１０の左図に示すロック状態となる。
【００４４】
ロック状態では、クランプチェーン８のリンクメンバ８２がより水平から垂直に近づくように傾き、センタシャフト３１４を挟んで対峙する一対のリンクピン８１がセンタシャフト３１４の外周面に密接し、各リンクピン８１とセンタシャフト３１４との間に強い摩擦力が生じる。それ故、クランプチェーン８、アンロックパイプ３３及び昇降パイプ体３２２のセンタシャフト３１４に対する下動が制止され、外パイプ３２が内パイプ３１に対して下降できず、支柱３が収縮せずにモニタＭの高さ位置が一定に保たれる。仮に、外パイプ３２が内パイプ３１に対して下降しようとしても、昇降パイプ体３２２がずり下がればスライダ３２６とアンロックパイプ側３３のスライダ３３２との距離が拡大することになり、クランプチェーン８が上下に引き延ばされてこれがセンタシャフト３１４に絡みつく。クランプチェーン８自体にも、当該クランプチェーン８を上下に引き延ばすように弾性付勢するスプリング（図示せず）が組み込まれている。総じて、外パイプ３２及びブラケット４を介して支えているモニタＭの自重に抗い、外パイプ３２及びモニタＭを一定の高さ位置に維持し続けることができる。
【００４５】
支柱３を収縮させてモニタＭの高さをより低い位置に調整することを望むユーザは、支柱３の外パイプ３２を把持し、その上端部に露出しているスイッチ３３１を手指で押下する操作を行う。すると、図９に示すように、スイッチ３３１及びアンロックパイプ３３が、スプリング３４が発揮する弾性付勢力に抗して支柱３の外パイプ３２に対し相対的に下降する。これにより、アンロックパイプ３３側のスライダ３３２と昇降パイプ体３２２側のスライダ３２６との上下方向に沿った離間距離が縮む。そして、クランプチェーン８が畳まれてその上下幅が縮小し、図１０の右図に示すロック解除状態となる。
【００４６】
ロック解除状態では、クランプチェーン８のリンクメンバ８２がより垂直から水平に近づくように倒れ、センタシャフト３１４を挟んで対峙する一対のリンクピン８１とセンタシャフト３１４の外周面との間隙が拡大し、各リンクピン８１とセンタシャフト３１４との間の摩擦力が失われる。よって、クランプチェーン８、アンロックパイプ３３及び昇降パイプ体３２２のセンタシャフト３１４に対する下動が許容され、外パイプ３２が内パイプ３１に対して下降できるようになる。
【００４７】
図８、図９及び図１２に示すように、外パイプ３２の昇降パイプ体３２２のスライダ３２６と内パイプ３１の回転軸３１１との間には、外パイプ３２を内パイプ３１に対して相対的に上方に弾性付勢するスプリング３５が介設されている。スイッチ３３１を押下操作してロック機構によるロックを解除した状態で、外パイプ３２を、スプリング３５が発揮する弾性付勢力に抗して内パイプ３１に対して押し下げれば、図４及び図１２に示すように、支柱３の全長が収縮してモニタＭ及びこれを支えるブラケット４が降下する。
【００４８】
支柱３を伸長させてモニタＭの高さをより高い位置に調整することを望むユーザは、支柱３の外パイプ３２を把持し、これを内パイプ３１に対して上昇させるように引き上げればよい。このとき、スイッチ３３１は押下操作しなくてもよい（無論、スイッチ３１１を押下してもよい）。外パイプ３２が上昇しようとする過程で、昇降パイプ体３２２がずり上がりスライダ３２６とアンロックパイプ側３３のスライダ３３２との距離が縮小することから、上下に引き延ばされていたクランプチェーン８が畳まれるように縮んで、自然にロック状態からロック解除状態へと遷移する。その帰結として、クランプチェーン８、アンロックパイプ３３及び昇降パイプ体３２２のセンタシャフト３１４に対する上動が許容され、外パイプ３２が内パイプ３１に対して上昇できるようになり、図３及び図８に示すように、支柱３の全長が伸長してモニタＭ及びこれを支えるブラケット４が浮上する。
【００４９】
因みに、支柱３の内パイプ３１の下方の部位に、モニタＭに接続するケーブル（コード）等を保持しまたは束ねておくためのケーブルガイド（ケーブルホルダ）３１５が取り付けられている。ケーブルガイド３１５は、平面視略Ｃ字形をなし、対象のケーブル等をくわえ込むことができる。
【００５０】
本実施形態では、内パイプ３１及び内パイプ３１が挿入される外パイプ３２を要素とし、上下方向に伸長しており、内パイプ３１と外パイプ３２とのうちの一方である下部要素３１に対して他方である上部要素３２が昇降することでその長さを拡縮させる支柱３と、前記支柱３の上部要素３２に取り付けられ、モニタＭを支えることのできるブラケット４と、前記支柱３の上部要素３２の上端部に露出し、ユーザによる操作を受けて支柱３に対して上下動するスイッチ３３１と、前記支柱３内に配され、前記スイッチ３３１の上下動に伴い支柱３に対して上下動するアンロックパイプ３３と、前記支柱３が収縮しないよう下部要素３１に対して上部要素３２をロックするとともに、前記アンロックパイプ３３が支柱３に対して下降したときにそのロックを解除するロック機構とを具備するモニタアーム１を構成した。
【００５１】
本実施形態によれば、支柱３を収縮不能にロックでき、かつ簡便で自然な操作でそのロックを解除でき、支柱３の収縮を通じてモニタＭの高さ位置を調整可能な利便性の高いモニタアーム１が具現される。
【００５２】
前記ロック機構は、前記支柱３内に配され、支柱３の下部要素３１に支持され上部要素３２に向かって伸びるセンタシャフト３１４と、前記支柱３内に配され、その下端部が上部要素３２に対して固定され、その上端部が前記アンロックパイプ３３とともに支柱３に対して上下動し、前記センタシャフト３１４が挿通されるクランプチェーン８とを有してなるもので、前記クランプチェーン８が前記センタシャフト３１４の外周面に密接することにより前記支柱３が収縮しないようロックするとともに、ユーザによる操作を受けて前記スイッチ３３１及び前記アンロックパイプ３３が前記支柱３に対して下降したときにクランプチェーン８の上下幅が縮小しながらクランプチェーン８とセンタシャフト３１４の外周面との間隙が拡大してロックを解除する。
【００５３】
前記ブラケット４は、支柱３の軸心と交差する軸回りに回動可能である。従って、ユーザの任意に応じて、モニタＭの向く方向、即ちモニタＭの姿勢を上下に傾動させ得るようになる。そのために、本実施形態では、ブラケット４が、前記支柱３の上部要素３１との間にスペーサ５を介在させて支柱３に取り付けられる基部４２と、モニタＭが固定されてこれを支える取着部４１とを備えており、その基部４２にスペーサ５よりも外側方に突出する凸部５１が挿入される長孔４２１が形成されている。
【００５４】
加えて、前記支柱３の上部要素３２に螺合するねじが形成された制動用のつまみ７を具備し、前記つまみ７と前記スペーサ５との間で前記ブラケット４の基部４２を挟圧することでブラケット４の姿勢を保定できるようにすれば、さらに好ましい。
【００５５】
前記支柱３の下部要素３１の下端部に設けられた回転軸３１１が、支柱３を支持する支持体２に設けられた軸受２３に挿入されており、支柱３がその軸心回りに回動可能であるため、モニタＭを水平旋回させてその向きを任意に変更することができる。
【００５６】
本実施形態では、前記軸受２３にブッシュ２３１が圧入されている一方、前記回転軸３１１の外周にリング３１２が嵌め付けられ、軸受２３に挿入した回転軸３１１を軸受２３から引き抜こうとする際にリング３１２がブッシュ２３１に引っ掛かり抜け止めとなる構造を採用している。これにより、部品点数を徒に増加させずに済む。
【００５７】
なお、本考案は以上に詳述した実施形態に限られるものではない。例えば、上記実施形態では、支持体２の要素である脚２２が側面視クランク状をなしていたが、脚の形状は屈折していない直立状であっても構わない。
【００５８】
支持体２における脚２２が、土台であるクランプ２１に対して軸心回りに相対回動可能であることは必須ではない。また、支柱３（の下部要素３１）が、これを支持する脚２２に対して軸心回りに相対回動可能であることも必須ではない。
【００５９】
上記実施形態では、支柱３の上部要素が外パイプ３２であり、下部要素がこれに挿入される内パイプ３１であったが、支柱３の上部要素と下部要素との内外の関係は、上記実施形態と逆であってもよい。例えば、上記実施形態における外郭パイプ体３２１をオミットし、昇降パイプ体３２２のみを支柱３の上部要素とし、その上部要素にブラケット４を取り付けるような構造が、一案として考えられる。
【００６０】
支柱３に実装するロック機構は、クランプチェーン８を用いるものに限定されない。既知のガススプリング等を採用して、ロック機構を構成することも当然に可能である。
【００６１】
その他、各部の具体的構成は、本考案の趣旨を逸脱しない範囲で変形が可能である。
【符号の説明】
【００６２】
１…モニタアーム
２…支持体
２３…軸受
２３１…ブッシュ
３…支柱
３１…下部要素（内パイプ）
３１１…回転軸
３１２…リング
３１４…センタシャフト
３２…上部要素（外パイプ）
３３…アンロックパイプ
３３１…スイッチ
４…ブラケット
４１…取着部
４２…基部
４２１…長孔
５…スペーサ
５１…凸部（ボス）
７…つまみ
８…クランプチェーン
Ｍ…モニタ
【図１】
0003233085.tif 000003
【図２】
0003233085.tif 000004
【図３】
0003233085.tif 000005
【図４】
0003233085.tif 000006
【図５】
0003233085.tif 000007
【図６】
0003233085.tif 000008
【図７】
0003233085.tif 000009
【図８】
0003233085.tif 000010
【図９】
0003233085.tif 000011
【図１０】
0003233085.tif 000012
【図１１】
0003233085.tif 000013
【図１２】
0003233085.tif 000014
【図１３】
0003233085.tif 000015